(57)【要約】【課題】車両に備えられた吊り手の手掛けの握り部を把持するための吊り手用把持具を提供する。【解決手段】吊り手用把持具１は、人の指を通過させるための孔を有する指通し２０と、略矩形の板状に形成され、長辺の長さが人の掌の幅と略同一であり、一方の面に指通し２０が固定されており、柔軟性を有する基部１１と、基部１１の一方の長辺から指通し２０と反対方向に伸びており、伸縮性を有する、指通し２０の孔２１を通過させた指の指先を当接させるための指当部１２と、基部１１の他方の長辺から指当部１２と同方向に伸びており、伸縮性を有する、指通し２０の孔２１に指を通過させた手の掌を当接させるための掌当部１３と、を有する手掛けＢの握り部Ｂ１に係合させるためのホルダー１０と、を備えている。ホルダー１０の指当部１２と掌当部１３との対向する面の間隔ａは、これらの間に挿入されるべき手掛けＢの握り部Ｂ１の断面幅ｂと略同一である。【選択図】図１
2014227130.tif 000002
【特許請求の範囲】
【請求項１】
車両に備えられた吊り手の手掛けの握り部を間接的に把持するための吊り手用把持具であって、
人の指を通過させるための筒状の孔を有する指通しと、
略矩形の板状に形成され、長辺の長さが人の掌の幅と略同一であり、一方の面に前
記指通しが固定されており、柔軟性を有する基部と、
前記基部の一方の長辺から前記指通しと反対方向に伸びており、伸縮性を有する、
前記指通しの孔を通過させた指の指先を当接させるための指当部と、
前記基部の他方の長辺から前記指当部と同方向に伸びており、伸縮性を有する、前
記指通しの孔に指を通過させた手の掌を当接させるための掌当部と、
を有する前記手掛けの握り部に係合させるためのホルダーと、
を備えており、
前記ホルダーの指当部と掌当部の対向する面の間隔が、これらの間に挿入されるべき前記手掛けの握り部の断面幅と略同一であることを特徴とする吊り手用把持具。
【請求項２】
前記指当部及び前記掌当部の内部或いは表面に、前記基部の長辺と直交する方向に伸びる、剛直性を有する芯材が複数列設けられている、請求項１に記載の吊り手用把持具。
【請求項３】
前記指当部及び前記掌当部の表面に、前記基部の長辺と直交する方向に伸びる線状の突起が複数列設けられている、請求項１又は２に記載の吊り手用把持具。
【請求項４】
前記指通しが、前記基部に、少なくとも前記基部の長辺間の中央付近と前記指通しとの間に空間が存在するように固定されており、
前記基部の前記指通しと対向する領域には、長辺間の略中央の位置に、長辺と平行に伸びる肉薄部又はスリットが設けられている、請求項１〜３のいずれか１項に記載の吊り手用把持具。
【請求項５】
前記指当部の基端から先端までの長さが、前記手掛けの握り部の断面幅の１／２より長いが該断面幅よりは短く、
前記掌当部の基端から先端までの長さが、前記手掛けの握り部の断面幅より長い、請求項１〜４のいずれか１項に記載の吊り手用把持具。
【請求項６】
前記指通しの筒状の孔の掌当部側端部が、前記基部から離れるにつれて指当部側に近づくように傾斜している、請求項１〜５のいずれか１項に記載の吊り手用把持具。
【発明の詳細な説明】
【技術分野】
【０００１】
本発明は、車両に備えられた吊り手の手掛けを把持するときに用いる吊り手用把持具に関する。
【背景技術】
【０００２】
乗り合いバス、電車等の車両に乗客が立った状態で乗車する際には、車両の振動や揺れが生じても安定した姿勢を維持するために、車両に備えられた吊り手を利用することが多い。しかし、吊り手は不特定多数の乗客によって利用されるため、不衛生になりがちであり、吊り手を介した雑菌汚染の問題が指摘されている。
【０００３】
この問題を考慮し、乗客が吊り手の手掛けを直接握るのを回避することを目的とした吊り手用把持具がこれまでに提案されている。
【０００４】
例えば、特許文献１（特開２００１−３４８７１２号公報）は、掌に収まる大きさを有する軟質でフレキシブルな平板状のベース部分の一面側に指の第一関節から第二関節にかけて指の間から覗かせ指で挟みこむための凸部を設けた吊り手用把持具を開示している。乗客が吊り手の手掛けを把持するときは、指で上記凸部を挟み込み、ベース部分の他面を手掛けの握り部に押し当て、ベース部分の上から握り部を間接的に把持する。このことにより、手が手掛けに直接接触するのが回避される。上記凸部間に掛け渡される指バンドを備えた形態も記載されており、指バンドにより把持具の指からの脱落防止が強化されている。
【０００５】
また、特許文献２（特開２０１１−４６３５１号公報）は、プレート状乃至ブロック状の基体と、該基体の上下方向乃至前後方向に向けて突出配置して手掛けの空間を介して挿入降下することによって手掛けに被嵌引掛自在とした被嵌引掛片と、上記基体に配置した前後貫通の手掛け孔とを備えた、金属或いは合成樹脂で形成することが可能な吊り手用把持具を開示している。乗客が吊り手の手掛けを把持するときは、この把持具の被嵌引掛片を手掛けの握り部に嵌合させた後、手掛け口に手乃至指を引掛支持させる。このことにより、手が手掛けに直接接触するのが回避される。上記被嵌引掛片の手掛けに対する接触位置に、ゴムや合成樹脂等を配置して移動防止措置を施すことも記載されているが、移動防止措置の具体的な形状は記載されていない。
【０００６】
特許文献３（実登３１３７８３３号公報）は、吊り手の手掛けの把持をサポートするための、手首に装着されるバンドと、バンドに基端側が連結され先端がフック状になったフック片と、からなる把持補助具を開示している。乗客が吊り手の手掛けを把持するときは、バンドを手首に装着し、フック片を手掛けに引っ掛けた後、フック片の先端側或いは基端側を把持する。このことにより、手が手掛けに直接接触するのが回避される。フック片の先端側のＵ字状になっている内側や必要に応じて外側に、ゴムや樹脂などの滑り止め材を取り付けて、フック片を手掛けに引っ掛けた場合に滑らないようにすることも記載されている。
【先行技術文献】
【特許文献】
【０００７】
【特許文献１】特開２００１−３４８７１２号公報
【特許文献２】特開２０１１−４６３５１号公報
【特許文献３】実登３１３７８３３号公報
【発明の概要】
【発明が解決しようとする課題】
【０００８】
しかし、特許文献１の把持具では、乗客は指で上記凸部を挟み込みながら平板状のベース部分を折り曲げて吊り手の手掛けを把持し続けなければならず、乗客の把持具の使用状態により把持の安定性が大きく左右される。特許文献２の把持具は、比較的大型であり、持ち運びしにくい。また、把持具の被嵌引掛片が手掛けにゆるく引っ掛けられている場合には、把持具が手掛けの周りを回転するため、手掛けの安定した把持が困難になる。上記被嵌引掛片が手掛けにぴったりと嵌合された状態では、手掛けに対する把持具の回転が抑制されるものの、車両の吊り手を支持している吊り手棒から乗客の手までの距離が把持具不使用時に比べて長くなるため、車両の揺れにより吊り手が揺動した場合に、乗客の手がより激しい揺動を経験することになり、乗客が安定した姿勢を保ちにくくなる。特許文献３の把持補助具も特許文献２の把持具と同様の問題を有し、また乗客の手首がフック片にベルトを介して固定されるため、吊り手が大きく揺動した場合に、手首にストレスが掛かり手首を損傷することが懸念される。
【０００９】
そこで、本発明の目的は、小型で、手掛けを安定且つ安全に把持することが可能な吊り手用把持具を提供することである。
【課題を解決するための手段】
【００１０】
上述の目的を解決するために、本発明の車両に備えられた吊り手の手掛けの握り部を間接的に把持するための吊り手用把持具は、
人の指を通過させるための筒状の孔を有する指通しと、
略矩形の板状に形成され、長辺の長さが人の掌の幅と略同一であり、一方の面に上
記指通しが固定されており、柔軟性を有する基部と、
上記基部の一方の長辺から上記指通しと反対方向に伸びており、伸縮性を有する、
上記指通しの孔を通過させた指の指先を当接させるための指当部と、
上記基部の他方の長辺から上記指当部と同方向に伸びており、伸縮性を有する、上
記指通しの孔に指を通過させた手の掌を当接させるための掌当部と、
を有する上記手掛けの握り部に係合させるためのホルダーと、
を備えており、
上記ホルダーの指当部と掌当部の対向する面の間隔が、これらの間に挿入されるべき上記手掛けの握り部の断面幅と略同一であることを特徴とする。
【００１１】
本発明の吊り手用把持具は、基部、指当部及び掌当部を有するホルダーと、該ホルダーの基部に固定されている指通しと、を備えている。ここで、基部は板状であれば良く、平板状の他、湾曲した形状であっても良い。また、指通しは基部に直接固定されていても良く、これらを接続する接続部を介して固定されていてもよい。さらに、指通しの孔は、一本の指のみが通過可能であっても良く、２本以上の指が通過可能であっても良い。２個以上の指通しが併設されていても良い。
【００１２】
本発明の吊り手用把持具では、指当部と掌当部との対向する面の間隔が手掛けの握り部の断面幅と略同一であり、基部が柔軟性を有し、指当部と掌当部が伸縮性を有しているため、ホルダーの基部、指当部及び掌当部で形成される空間に三角環状の手掛けにおける直線状の握り部を収容した場合には、握り部とホルダー内面が接触し、上記空間に円環状の手掛けの握り部を収容した場合には、基部が握り部の形状に沿って変形し、この変形に伴って指当部と掌当部とが円環状の手掛けの周方向に伸ばされながら握り部を挟み込む。したがって、いずれの場合にも、把持具の握り部の回りの回転が抑制される。また、指通しにより指が安定に保持される。さらに、車両の吊り手を支持している吊り手棒から乗客の手までの距離が把持具不使用時に比べて長くならないため、車両の揺れにより吊り手が揺動した場合にも乗客の手がより大きな揺動を経験することがなく、手首がフリーの状態にあるため手首の損傷も回避される。したがって、手掛けを安定且つ安全に把持することができる。また、本発明の吊り手用把持具は手に収まるサイズであるため小型である。本発明の吊り手用把持具において、上記指通しが伸縮性を有していると、手がホルダーに対して回転しても、指通しの縮もうとする力により指が締め付けられ、指の脱落が防止されるため好ましい。また、略矩形の基部の短辺から補助片、例えば半円状の補助片が伸びていても良い。この補助片もまた手掛けに接触し、把持具の握り部の回りの回転を抑制する効果を有する。また、上記補助片により手と手掛けとがより広い面積のホルダーで隔てられることになるため、衛生面で極めて好ましい。
【００１３】
本発明の吊り手用把持具において、上記指当部及び上記掌当部の内部或いは表面に、上記基部の長辺と直交する方向に伸びる、剛直性を有する芯材が複数列設けられているのが好ましい。芯材間では基部、指当部及び掌当部の柔軟性及び伸縮性が失われないため、円環状の手掛けに本発明の把持具を適用した際に、円環に沿った基部の変形及びこれに伴う指当部と掌当部との手掛けの周方向への伸張が確保され、また上記芯材の剛直性により、指当部と掌当部とが離間する方向或いは接近する方向に折れ曲がるのが抑制される。上記芯材は、上記指当部の先端から基部を経由して上記掌当部の先端まで一体的に設けられていても良い。
【００１４】
本発明の吊り手用把持具において、上記指当部及び上記掌当部の表面に、上記基部の長辺と直交する方向に伸びる線状の突起、好ましくは剛直な突起が複数列設けられているのが好ましい。突起の部分の厚みが厚くなるため、上記芯材の効果と同様の効果が得られる。また、上記突起が手掛けに接する側の表面に設けられている場合には、この突起により、手掛けの握り部上を把持具が滑るのが抑制される。さらに、ホルダー内面と手掛けとの接触面積が小さくなるため、ホルダー内面が手掛けに付着した雑菌によって汚染されるのを効果的に抑制することができる。上記突起は、上記指当部の先端から基部を経由して上記掌当部の先端まで一体的に設けられていても良い。この突起の内部に剛直な芯材を含ませることもできる。なお、上記突起が手掛けに接する側の表面に設けられている場合には、「指当部と掌当部との対向する面の間隔」は、指当部上の突起の先端と掌当部上の突起の先端との間隔を意味する。この構造の把持具は、必要に応じて樹脂被覆を施した鋼線等の剛直な線体を上記突起と同様の形状に折り曲げ、或いは、上記突起と同様の形状のプラスチック製の部材を用意し、これらを柔軟な矩形状の板体に複数個取り付けて芯体を形成し、突起を有していないホルダーの内面にこの芯体を取り付けることによっても得ることができる。
【００１５】
本発明の吊り手用把持具において、上記指通しが上記基部に少なくとも上記基部の長辺間の中央付近と上記指通しとの間に空間が存在するように固定されており、上記基部の上記指通しと対向する領域には、長辺間の略中央の位置に、長辺と平行に伸びる肉薄部又はスリットが設けられているのが好ましい。上記肉薄部又はスリットが存在すると、ホルダーを手掛けの握り部に係合させるときに、基部の長辺間の中央付近が握り部からの応力を受けて上記空間側に突出するように湾曲しやすくなる。そして、この湾曲に伴って掌当部の先端と指当部の先端が接近し、これらが手掛けの握り部をさらに確実に挟み込む。この肉薄部又はスリットは、上記基部と上記指通しが対向する領域からさらに基部の短辺側に伸びていても良い。
【００１６】
上記指当部の基端から先端までの長さは、上記手掛けの握り部の断面幅の１／２より長いが該断面幅よりは短く、上記掌当部の基端から先端までの長さは、上記手掛けの握り部の断面幅より長いのが好ましい。手掛けにホルダーを係合させるときには、使用者は、手掛けの環の中心側に指通しが位置し且つ掌当部が自らに接近するようにホルダーを配置した後、ホルダーの基部、指当部及び掌当部で形成される空間に手掛けの握り部を収容させるため、指当部が短いと手掛けにホルダーを係合させやすい。また、指当部の基端から先端までの長さが上記手掛けの握り部の断面幅の１／２よりは長いため、係合後はホルダーが手掛けから抜け落ちにくくなる。また、吊り手が揺動した場合にも、指当部及び広い掌に対応して長く形成された掌当部に安定に力を加えることができる。さらに、把持具を手掛けから取り外すときには、上記手掛けの握り部の断面幅より長く伸びた掌当部の先端に指を添えて指当部と掌当部との間隔が広がるように力を加えることにより、手掛けへの接触を回避した把持具の取り外しが可能になる。
【００１７】
また、上記指通しの筒状の孔の掌当部側端部が、上記基部から離れるにつれて上記指当部側に近づくように傾斜していると、孔の掌当部側端部の周の長さが指当部側端部の周の長さより長くなり、孔が掌当部側端部で大きく開口することになるため、指通しの孔に掌当部側から指を挿入しやすく、手がホルダーに対して回転しても、指当部側端部の縮もうとする力により指が締め付けられるため、指の脱落が防止されるため、好ましい。
【発明の効果】
【００１８】
本発明の吊り手用把持具では、ホルダーが手掛けの握り部の形状に沿って変形するため、手掛けの握り部とホルダーの内面との接触により把持具の握り部の回りの回転が抑制される。また、指通しにより指が安定に保持される。したがって、手掛けを安定且つ安全に把持することができる。また、本発明の吊り手用把持具は、手に収まるサイズであるため小型である。
【図面の簡単な説明】
【００１９】
【図１】本発明の一実施形態の吊り手用把持具の形状を示す概略図であり、（Ａ）は平面図、（Ｂ）は正面図、（Ｃ）は底面図、（Ｄ）は右側面図、（Ｅ）は断面図である。
【図２】図１に示す吊り手用把持具の使用状態を説明するための図であり、（Ａ）は三角環状の手掛けへの適用を示しており、（Ｂ）は円環状の手掛けへの適用を示しており、（Ｃ）は使用者による把持具の使用方法を説明するための図である。
【図３】図１に示す吊り手用把持具の使用状態を説明するための図であり、（Ａ）は吊り手が使用者に接近する方向に揺動した場合を示しており、（Ｂ）は吊り手が揺動していない場合を示しており、（Ｃ）は吊り手が使用者から離れる方向に揺動した場合を示している。
【図４】本発明の別の実施形態の吊り手用把持具の形状を示す概略図であり、（Ａ）は平面図、（Ｂ）は正面図、（Ｃ）は底面図、（Ｄ）は右側面図、（Ｅ）は断面図である。
【図５】図４に示す吊り手用把持具の使用状態を説明するための図であり、（Ａ）は指通しに指を通過させた状態を示しており、（Ｂ）はホルダーに対して指が回転した状態を示している。
【図６】本発明のさらに別の実施形態の吊り手用把持具の形状を示す概略図であり、り、（Ａ）は平面図、（Ｂ）は正面図、（Ｃ）は底面図、（Ｄ）は右側面図、（Ｅ）は断面図である。
【図７】芯体とカバー材とで構成される、本発明のさらに別の実施形態の吊り手用把持具を示す説明図である。
【発明を実施するための形態】
【００２０】
第１実施形態
本発明の第１の実施の形態の吊り手用把持具について、図１〜３を用いて説明する。図１は、本実施の形態の吊り手用把持具１の形状を示す概略図であり、（Ａ）は平面図、（Ｂ）は正面図、（Ｃ）は底面図、（Ｄ）は（Ｂ）のＸ方向から視た側面図、（Ｅ）は（Ｂ）のＹ１−Ｙ２線における断面図である。図２及び図３は、吊り手用把持具１の使用状態を示す図である。図２（Ｃ）では、理解の容易のため、手が透明に示されている。
【００２１】
本実施の形態の吊り手用把持具１は、ゴム製であり、基本的構成として、手掛けの握り部に係合させるためのホルダー１０と、指を保持させるための指通し２０とを備えている。
【００２２】
ホルダー１０は、矩形の平板状に形成された基部１１を有している。基部１１の一面側には指通し２０が固定されている。基部１１の長辺１１ａの長さは、平均的な成人の掌の幅に設定されている。基部１１の一方の長辺１１ａからは、吊り手用把持具１の使用時に使用者の指先を当接させるための指当部１２が、指通し２０と反対方向に向かって伸びている。基部１１の他方の長辺１１ａからは、使用時に使用者の掌を当接させるための掌当部１３が、指当部１２と同じ方向に伸びている。図１（Ｄ）（Ｅ）の仮想線は、吊り手Ａの手掛けＢにおける握り部Ｂ１（図２参照）の断面を示している。一般的な手掛けにおける握り部Ｂ１の断面幅ｂは約１５ｍｍであり、バラツキは少ない。図１（Ｄ）（Ｅ）に示されているように、指当部１２の基端から先端までの長さは、握り部Ｂ１の断面幅ｂの１／２より長く、断面幅ｂよりは短く設定されており、掌当部１３の基端から先端までの長さは、握り部Ｂ１の断面幅ｂより長く、断面幅ｂの約１．５倍の長さに設定されている。
【００２３】
ホルダー１０の内面側には、指当部１２の先端から基部１１を通過して掌当部１３の先端へと続き、基部１１の長辺１１ａと直交する方向に伸びている、複数列（図では７列）の突起１４が設けられている。図１（Ｄ）（Ｅ）に示されているように、指当部１２上の突起１４の先端と掌当部１３上の突起１４の先端との間隔ａは、握り部Ｂ１の断面幅ｂと略同一に設定されている。
【００２４】
基部１１には、吊り手用把持具１の使用時に使用者の一本の指を通過させるための円筒状の孔２１を有する指通し２０が２個、接続部２２を介して固定されている。指通し２０の孔２１のサイズは、平均的な成人の指を通過させて安定に保持させることができるサイズに設定されている。
【００２５】
次いで、吊り手用把持具１の使用方法について説明する。図２の（Ａ）は三角環状の手掛けへの適用を示しており、（Ｂ）は円環状の手掛けへの適用を示しており、（Ｃ）は使用者による吊り手用把持具１の使用状態を示している。
【００２６】
車両に吊り手用把持具１の使用者が立った状態で乗車するときには、使用者は、手掛けＢの環の中心側に指通し２０が位置し且つ掌当部１３が自らに接近するようにホルダー１０を配置した後、手掛けＢの握り部Ｂ１をホルダー１０の基部１１、指当部１２及び掌当部１３で形成される空間に収容させる。次いで、２個の指通し２０の孔２１に指を一本ずつ通し、指当部１２に指先を当接させ、掌当部１３に掌を当接させる（図２（Ｃ）参照）。予め指通し２０の孔２１に指を挿入した後、ホルダー１０と握り部Ｂ１とを係合させても良い。指当部１２の基端から先端までの長さが握り部Ｂ１の断面幅ｂの１／２より長いが断面幅ｂよりは短いため、握り部Ｂ１にホルダー１０を係合させやすく、係合後はホルダー１０が握り部Ｂ１から抜け落ちにくい。なお、図２（Ｃ）では、２個の指通し２０に第三指と第四指とがＭＰ関節とＰＩＰ関節の間まで通されているが、どの指を指通しに通すか、どの位置まで通すかは使用者の自由である。
【００２７】
三角環状の手掛けＢに吊り手用把持具１を適用した場合には、図２（Ａ）に示されているように、指当部１２と掌当部１３との対向する面の間隔（突起先端間の間隔）ａがこれらの間に挿入される手掛けＢの直線状の握り部Ｂ１の断面幅ｂと略同一であるため、握り部Ｂ１とホルダー１０の内面とが接触し、指当部１２と掌当部１３とにより握り部Ｂ１が挟み込まれる。したがって、吊り手用把持具１が握り部Ｂ１の回りを回転することが抑制される。また、図２（Ｂ）に示されているように、円環状の手掛けＢに吊り手用把持具１を適用した場合には、基部１１が柔軟性を有しているため、基部１１が握り部Ｂ１の形状に沿って変形し、指当部１２と掌当部１３とが伸縮性を有しているため、基部１１の変形に伴って指当部１２と掌当部１３とが手掛けＢの周方向に伸ばされながら手掛けＢの握り部Ｂ１を挟み込む。このとき、突起１４により、基部１１の変形及びこれに伴う指当部１２と掌当部１３の手掛けＢの周方向への伸張が確保されながらも、指当部１２と掌当部１３とが離間する方向或いは接近する方向に折れ曲がるのが抑制される。そのため、やはり吊り手用把持具１が握り部Ｂ１の回りを回転することが抑制される。また、この突起１４により、握り部Ｂ１上を吊り手用把持具１が滑るのが抑制される。さらに、指通し２０が伸縮性を有しているため、手がホルダー１０に対して回転して指通し２０の孔２１が拡径しても、指通し２０の縮もうとする力により指が締め付けられるため、指の脱落が防止される。したがって、手掛けＢを安定且つ安全に把持することができる。
【００２８】
また、車両の振動や揺れにより吊り手Ａが使用者に接近する方向に揺動した場合には、図３（Ａ）に示されているように、指当部１２に指先の力を安定に加えて手掛けを引き寄せることができる。掌当部１３の基端から先端までの長さが、広い面積を有する掌に対応して、握り部Ｂ１の断面幅ｂより長く設けられているため、吊り手Ａが使用者から離れる方向に揺動した場合には、図３（Ｃ）に示されているように、広い面積を有する掌当部１３に掌の力を安定に加えることができる。さらに、吊り手Ａが揺動していない場合には、図３（Ｂ）に示されているように、使用者の手の重さが吊り手用把持具１にかかるため、把持具１の握り部Ｂ１の回りの回転が抑制される。また、使用者が吊り手用把持具１を手掛けＢから取り外す際には、握り部Ｂ１の断面幅ｂより長く伸びた掌当部１３の先端に指を添えて指当部１２と掌当部１３との間隔が広がるように力を加えることにより、手掛けＢへの接触を回避して吊り手用把持具１を取り外すことができる。
【００２９】
第２実施形態
次に、本発明の第２の実施の形態について、図４及び図５を用いて説明する。図４は、本実施の形態の吊り手用把持具１の形状を示す概略図であり、（Ａ）は平面図、（Ｂ）は正面図、（Ｃ）は底面図、（Ｄ）は（Ｂ）のＸ方向から視た側面図、（Ｅ）は（Ｂ）のＹ１−Ｙ２線における断面図である。図５は、吊り手用把持具１の使用状態を示す図であるが、理解の容易のため、手が透明に示されている。第１の実施の形態と同じ部位には同じ記号を付してこれ以上の説明を省略し、第１の実施の形態と異なる点についてのみ説明する。
【００３０】
図４に示されているように、本実施の形態のゴム製の吊り手用把持具１では、基部１１と、指当部１２と、掌当部１３と、指当部１２及び掌当部１３の対向する面にそれぞれ設けられた波形に連続した突起１４と、が一体的に成形されてホルダー１０が形成されている。突起１４の内部には、金属線で形成された芯材１５が埋められている。基部１１は湾曲した板状を有し、ホルダー１０はＪ字状の断面形状を有している（図４（Ｄ）参照）。そして、基部１１の凸面側に、指通し２０がその両端部のみで固定されている。したがって、基部１１の長辺１１ａ間の中央付近と指通し２０との間には、空間Ｖが存在する（図４（Ｄ）（Ｅ）参照）。基部１１の指通し２０と対向する領域には、長辺１１ａ間の略中央の位置に、長辺１１ａと平行に伸びるスリット１１ｂが設けられている。図４（Ｅ）において、基部１１のスリット１１ｂで隔てられた領域は、記号１１ｃで表わされている。
【００３１】
指通し２０は、円筒をカットした形状を有している（図４（Ａ）参照）。指当部１２側に配置されている端部は、円筒の軸に対してわずかに傾斜した面でカットされており、孔２１の指当部側端部２１ａの形状は略円形である。掌当部１３側に配置されている端部は、円筒の軸に対して大きく傾斜した面でカットされており、孔２１の掌当部１３側端部２１ｂの形状は略円形である。楕円の短軸の長さは、指当部側端部２１ａの円の直径と等しい。指通し２０が基部１１に固定された状態では、指通し２０の孔２１の掌当部側端部２１ｂが、基部１１から離れるにつれて指当部側の端部２１ａに近づくように傾斜している（図４（Ａ）（Ｄ）（Ｅ）参照）。
【００３２】
本実施の形態の吊り手用把持具１は、第１の実施の形態の把持具１と同様に使用される。使用者が吊り手用把持具１の指通し２０の孔２１に掌当部１３側から指を通すときに、掌当部側端部２１ｂが楕円形状で大きく開いているため、指を通しやすい。また、図５（Ａ）に示されているように、孔２１を通過した指の指先側は孔２１の指当部側端部２１ａによりしっかりと保持される。図５（Ｂ）に示されているように、手がホルダー１０に対してＺ方向に回転し、指通し２０の孔２１の指当部側端部２１ａが拡径しても、伸縮性を有する指通し２０の縮もうとする力により指が締め付けられるため、指の脱落が抑制される。図５（Ａ）の円内には、ホルダー１０を手掛けＢの握り部Ｂ１に適用したときの吊り手用把持具１の断面が示されている。ホルダー１０の基部１１が握り部Ｂ１に押し当てられると、握り部Ｂ１からの応力により、基部１１のスリット１１ｂにより隔てられた領域１１ｃが空間Ｖに押し出される。すなわち、スリット１１ｂの存在により、ホルダー１０を手掛けＢの握り部Ｂ１に係合させるときに、基部１１の長辺１１ａ間の中央付近が空間Ｖ側に突出するように湾曲した状態になりやすい。この湾曲に伴い、指当部１２と掌当部１３とが接近し、これらが握り部Ｂ１をさらに確実に挟み込む。また、芯材１５を含む突起１４により、円環状の手掛けＢに吊り手用把持具１を適用する場合でも、円環に沿った基部１１の変形及びこれに伴う指当部１２と掌当部１３との手掛けＢの周方向への伸張が確保されながらも、指当部１２と掌当部１３とが離間する方向或いは接近する方向に折れ曲がるのが抑制される。
【００３３】
第３実施形態
次に、本発明の第３の実施形態について、図６を用いて説明する。図６は、本実施の形態の吊り手用把持具１の形状を示す概略図であり、（Ａ）は平面図、（Ｂ）は正面図、（Ｃ）は底面図、（Ｄ）は（Ｂ）のＸ方向から視た側面図、（Ｅ）は（Ｂ）のＹ１−Ｙ２線における断面図である。第１の実施の形態、第２の実施の形態と同じ部位には同じ記号を付してこれ以上の説明を省略し、異なる点についてのみ説明する。
【００３４】
本実施の形態の吊り手用把持具１と第２の実施の形態の把持具１とは、基部１１の指通し２０と対向する領域における長辺１１ａ間の略中央の位置にスリット１１ｂに代わって長辺１１ａと平行に伸びる肉薄部１１ｄが設けられている点、及び、突起を有さずプラスチック製の芯材１６が指当部１２と掌当部１３の対向する表面に設けられている点を除いて、同一である。この肉薄部１１ｄの作用は、スリット１１ｂの作用と同一である。すなわち、ホルダー１１の基部１１が握り部Ｂ１に押し当てられると、基部１１がその肉薄部１１ｄ付近で折れ曲がりやすいため、握り部Ｂ１からの応力により、基部１１の長辺１１ａ間の中央付近が空間Ｖ側に突出するように湾曲した状態になりやすい。この湾曲に伴い、指当部１２と掌当部１３とが接近し、これらが握り部Ｂ１をさらに確実に挟み込む。また、芯材１６により、円環状の手掛けＢに吊り手用把持具１を適用する場合でも、円環に沿った基部１１の変形及びこれに伴う指当部１２と掌当部１３との手掛けＢの周方向への伸張が確保されながらも、指当部１２と掌当部１３とが離間する方向或いは接近する方向に折れ曲がるのが抑制される。
【００３５】
第４実施形態
次に、本発明の第４の実施形態について、図７を用いて説明する。図７は、本実施の形態の吊り手用把持具１の構成を示すための説明図である。
【００３６】
本実施の形態の吊り手用把持具１は、突起１４が設けられていない点を除いて第１の実施の形態の吊り手用把持具１と同様の構成を有するカバー体２と、芯体３とを組み合わせて構成される。芯体３は、ゴム製の柔軟な矩形状の板体４に、金属製或いはプラスチック製の剛直な芯線５を、板体４の長辺と直交する向きに取り付けることにより形成される。芯線５は、第１の実施の形態における突起１４と同様の形状に形成されている。そして、カバー体２のホルダー１０の内面に、この芯体３を配置して固定することによって、吊り手用把持具１が形成される。この構成では、周囲の温度変化や使用者の気分に応じて、メッシュを有するカバー体に変更したり、模様の異なるカバー体に変更したりすることが可能になる。
【００３７】
以上、本発明の４つの実施の形態について説明したが、本発明はこれらの実施の形態に限定されず、本発明の趣旨を逸脱しない範囲での変更が可能である。例えば、指通し２０の孔２１は、２本以上の指が通過可能なサイズであっても良く、１個の指通し２０に２個以上の孔２１が設けられていても良い。また、突起１４がホルダーの外面に設けられていても良い。略矩形の基部の短辺から伸びる補助片、例えば半円状の補助片が設けられていても良い。さらに、基部１１に帯状体を固定し、帯状体の一方の端部に複数の小球が直列に連なった構造体を、他方の端部或いは基部１１に一つの小球を嵌入させるための凹部をそれぞれ設けておき、凹部にいずれかの小球を嵌入させることにより円筒状の指通し２０を形成するようにしても良い。この方法によると、凹部に嵌入させる小球を変更することにより、指通し２０の孔２１のサイズを使用者の指の太さに合わせて調整することができる。また、指通し２０の孔２１の内面に指の凹凸の滑り止め加工が施されていても良い。
【産業上の利用可能性】
【００３８】
本発明により、小型で、手掛けを安定且つ安全に把持することが可能な吊り手用把持具が提供される。
【符号の説明】
【００３９】
１    吊り手用把持具
１０    ホルダー
１１    基部
１１ａ    長辺
１１ｂ    スリット
１１ｄ    肉薄部
１２    指当部
１３    掌当部
ａ    指当部と掌当部との間隔
１４    突起
１５，１６    芯材
Ｖ  空間
２０    指通し
２１    孔
２１ｂ  掌当部側端部
Ａ    吊り手
Ｂ    手掛け
Ｂ１    握り部
ｂ      断面幅
【図１】
2014227130.tif 000003
【図２】
2014227130.tif 000004
【図３】
2014227130.tif 000005
【図４】
2014227130.tif 000006
【図５】
2014227130.tif 000007
【図６】
2014227130.tif 000008
【図７】
2014227130.tif 000009